(57)【要約】【課題】空気調和装置の室内ユニットにおいて、ドレンパンの結露をより確実に防止できるようにする。【解決手段】熱交換器（12）と、熱交換器（12）に送風するファン（11）と、熱交換器（12）の水滴を受けるドレンパン（13）とを備えた空気調和装置の室内ユニットにおいて、熱交換器（12）とドレンパン（13）の間に、水滴をドレンパン（13）に流す孔（14a）が形成されるとともに、ファン（11）によるドレンパン（13）への気流を遮る仕切板（14）を設ける。【選択図】図２
2014196867.tif 000002
【特許請求の範囲】
【請求項１】
熱交換器（12）と、前記熱交換器（12）に送風するファン（11）と、前記熱交換器（12）の水滴を受けるドレンパン（13）とを備えた空気調和装置の室内ユニットにおいて、
前記熱交換器（12）と前記ドレンパン（13）の間に設けられ、前記水滴を前記ドレンパン（13）に流す孔（14a）が形成されるとともに、前記ファン（11）による前記ドレンパン（13）への気流を遮る仕切板（14）を備えたことを特徴とする空気調和装置の室内ユニット。
【請求項２】
請求項１の空気調和装置の室内ユニットにおいて、
前記仕切板（14）には、前記孔（14a）から前記ドレンパン（13）に漏れる前記ファン（11）からの気流が、前記ドレンパン（13）に直接的に当たらないように遮る遮蔽部材（14b）が設けられていることを特徴とする空気調和装置の室内ユニット。
【請求項３】
請求項２の空気調和装置の室内ユニットにおいて、
前記孔（14a）は、複数形成されており、
前記遮蔽部材（14b）は、それぞれの孔（14a）から前記ドレンパン（13）に漏れる前記ファン（11）からの気流が互いにぶつかり合わない方向に、該気流を導くように形成されていることを特徴とする空気調和装置の室内ユニット。
【請求項４】
請求項２又は請求項３の空気調和装置の室内ユニットにおいて、
前記遮蔽部材（14b）は、前記仕切板（14）と一体的に形成されていることを特徴とする空気調和装置の室内ユニット。
【請求項５】
請求項４の空気調和装置の室内ユニットにおいて、
前記遮蔽部材（14b）は、ルーバ状、又は２辺を切り込んだ切り起こし状に、前記仕切板（14）と一体的に形成されていることを特徴とする空気調和装置の室内ユニット。
【発明の詳細な説明】
【技術分野】
【０００１】
本発明は、空気調和装置の室内ユニットに関し、特に室内ユニットにおける結露対策技術に関するものである。
【背景技術】
【０００２】
従来、熱交換器とファンを備えて、建物の天井に埋め込まれたり、吊り下げたりするように構成された、空気調和装置の室内ユニットが知られている（例えば特許文献1を参照）。この文献の例では、熱交換器の下にはドレンパンが設けられている。
【先行技術文献】
【特許文献】
【０００３】
【特許文献１】特開２００６−７８０４６号公報
【発明の概要】
【発明が解決しようとする課題】
【０００４】
しかしながら、前記文献の例では、熱交換器を通過した気流が冷気である場合には、その冷気がドレンパンを冷やし、ドレン水の伝熱によってドレンパンが結露する可能性がある。その結露に対しては、例えばドレンパンの外側に断熱材を設けることで対策は可能と考えられるが、そのような断熱材は、十分な結露防止効果を得るには厚みを大きくする必要があり、コストアップの要因になるとともに、加工性の点でも問題となる。さらには、前記文献の構成では熱交換器がドレンパン底面に近接しており、熱交換器がドレン水に浸かると、熱交換器が汚れる可能性もある。
【０００５】
本発明は前記の問題に着目してなされたものであり、空気調和装置の室内ユニットにおいて、ドレンパンの結露をより確実に防止できるようにすることを目的としている。
【課題を解決するための手段】
【０００６】
前記の課題を解決するため、第１の発明は、
熱交換器（12）と、前記熱交換器（12）に送風するファン（11）と、前記熱交換器（12）の水滴を受けるドレンパン（13）とを備えた空気調和装置の室内ユニットにおいて、
前記熱交換器（12）と前記ドレンパン（13）の間に設けられ、前記水滴を前記ドレンパン（13）に流す孔（14a）が形成されるとともに、前記ファン（11）による前記ドレンパン（13）への気流を遮る仕切板（14）を備えたことを特徴とする。
【０００７】
この構成では、仕切板（14）によって、ドレンパン（13）に向かうファン（11）の気流が遮られる。
【０００８】
また、第２の発明は、
第１の発明の空気調和装置の室内ユニットにおいて、
前記仕切板（14）には、前記孔（14a）から前記ドレンパン（13）に漏れる前記ファン（11）からの気流が、前記ドレンパン（13）に直接的に当たらないように遮る遮蔽部材（14b）が設けられていることを特徴とする。
【０００９】
この構成では、前記気流が、孔（14a）からドレンパン（13）側に漏れ出した場合でも、その気流がドレンパン（13）の底面に直接的に当らないようにできる。
【００１０】
また、第３の発明は、
第２の発明の空気調和装置の室内ユニットにおいて、
前記孔（14a）は、複数形成されており、
前記遮蔽部材（14b）は、それぞれの孔（14a）から前記ドレンパン（13）に漏れる前記ファン（11）からの気流が互いにぶつかり合わない方向に、該気流を導くように形成されていることを特徴とする。
【００１１】
この構成では、仕切板（14）が複数の孔（14a）を有する場合に、孔（14a）から漏れ出す気流が互いに干渉して、ドレンパン（13）の底面方向に流れないようにできる。
【００１２】
また、第４の発明は、
第２又は第３の発明の空気調和装置の室内ユニットにおいて、
前記遮蔽部材（14b）は、前記仕切板（14）と一体的に形成されていることを特徴とする。
【００１３】
また、第５の発明は、
第４の発明の空気調和装置の室内ユニットにおいて、
前記遮蔽部材（14b）は、ルーバ状、又は２辺を切り込んだ切り起こし状に、前記仕切板（14）と一体的に形成されていることを特徴とする。
【００１４】
この構成では、例えばプレス加工により遮蔽部材（14b）を形成できる。
【発明の効果】
【００１５】
第１の発明によれば、仕切板（14）によってファン（11）の気流が遮られるので、その気流が冷気であっても、ドレンパン（13）における結露を防止ないし低減できる。
【００１６】
また、仕切板（14）によって熱交換器（12）をドレンパン（13）内の水から分離することができ、その水で熱交換器（12）が汚れることがない。
【００１７】
また、第２の発明によれば、孔（14a）の気流がドレンパン（13）に直接的には当たらないので、その気流が冷気であっても、ドレンパン（13）の結露をより確実に防止することが可能になる。
【００１８】
また、第３の発明によれば、複数の孔（14a）を有する場合に、ドレンパン（13）の結露をより確実に防止することが可能になる。
【００１９】
また、第４の発明や第５の発明によれば、容易に遮蔽部材（14b）を形成できる。
【図面の簡単な説明】
【００２０】
【図１】図１は、本発明の実施形態に係る空気調和装置の室内ユニットの斜視図である。
【図２】図２は、室内ユニットの断面を示す。
【図３】図３は、仕切板における孔の配置例を示す。
【図４】図４は、本実施形態における孔部分の拡大図である。
【図５】図５は、ドレンパン側の気流の向き（矢印）を示す。
【図６】図６は、切り起こしの形状（遮蔽部材）の他の例を示す。
【図７】図７は、遮蔽部材のさらに別の構成例である。
【図８】図８は、孔の他の配置例を示す。
【発明を実施するための形態】
【００２１】
以下、本発明の実施形態を図面に基づいて詳細に説明する。
【００２２】
《発明の実施形態》
本発明の実施形態について説明する。図１は、本発明の実施形態に係る空気調和装置の室内ユニット（1）の斜視図である。室内ユニット（1）は、例えば建物の天井などに、埋め込まれたり、建物の梁に吊り下げられたりして設置される。この室内ユニット（1）は、蒸気圧縮式の冷媒回路（図示は省略）に接続されたり、チラー（図示は省略）に接続されたりして、建物の室内の空気調和に用いられる。
【００２３】
図２は、室内ユニット（1）の断面を示す。図２に示すように、室内ユニット（1）は、ファン（11）、熱交換器（12）、ドレンパン（13）、及び仕切板（14）を備え、これらがケーシング（10）に組み込まれている。ケーシング（10）の一つの面には空気の吸込み口（10a）が形成され、吸込み口（10a）の対面には、空気の吹出し口（10b）が形成されている。
【００２４】
熱交換器（12）は、例えばクロスフィン型のフィン・アンド・チューブ熱交換器であり、熱媒体（例えば冷媒、水、ブライン）を室内空気と熱交換させるための空気熱交換器である。
【００２５】
ファン（11）は、本実施形態では一例としてシロッコファンを採用している。ファン（11）は、吸込み口（10a）から吸い込んだ空気（例えば室内の空気）を熱交換器（12）に送風する。ファン（11）から送風された空気は、熱交換器（12）を通過しつつ熱媒体と熱交換し、吹出し口（10b）を介して室内へ供給される。これにより、室内の空気調和が行われる。
【００２６】
ドレンパン（13）は、熱交換器（12）において結露した水滴（ドレン水）を受け、所定の配管（13b）などを介して室外に排出するようになっている。このドレンパン（13）の外側（図２では下側）には、断熱材（13a）が貼り付けられている。断熱材（13a）は、ドレンパン（13）における結露を防止するために設けてある。
【００２７】
仕切板（14）は、熱交換器（12）とドレンパン（13）の間に設けられ、ファン（11）からドレンパン（13）への気流（冷風）を遮るようになっている。この構成により、仕切板（14）は、熱交換器（12）から落ちてきたドレン水を受けることになる。そのため、仕切板（14）には、受け止めたドレン水をドレンパン（13）に流すために複数の孔（14a）が形成されている。
【００２８】
図３は、仕切板（14）における孔（14a）の配置例を示す。図３は、熱交換器（12）側から仕切板（14）を見たものである。また、図４は、本実施形態における孔（14a）部分の拡大図である。図４は、ドレンパン（13）側から見た孔（14a）部分の図である。図４に示すように、孔（14a）の近傍には、遮蔽部材（14b）が一体的に形成されている。遮蔽部材（14b）は、仕切板（14）の孔（14a）からドレンパン（13）に漏れるファン（11）からの気流（例えば冷気）がドレンパン（13）に直接的に当たらないように遮る機能を有している。本実施形態では、遮蔽部材（14b）は、仕切板（14）の表面に２辺の切り込みを入れて、この２辺の間の部分を切り起こすことによって形成した。このような加工はプレス成形により実現できる（２辺の切り込みはランスと呼ばれることがあり、このような切り起こしはランス曲げと呼ばれることがある）。このように構成された遮蔽部材（14b）によって、孔（14a）からドレンパン（13）に漏れるファン（11）からの気流は、２辺の切り込み側に形成される開口に向かって流れることになる。なお、この例では、切り起こし部分の開口形状が三角形となるように、２辺の間の部分が切り起こされている（図４参照）。
【００２９】
本実施形態では、孔（14a）に流れ込んだ熱交換器（12）からの冷気は、遮蔽部材（14b）によって遮られて、ドレンパン（13）の底面に直接的に吹き付けられることがない。図５は、ドレンパン（13）側の気流の向き（矢印）を示す。
【００３０】
また、本実施形態では、図３に示すように、隣り合う遮蔽部材（14b）は、切り込みの辺が互いに直行するように配置されている。こうすることで、互いに隣り合う孔（14a）は、流れ出す気流の向きが互いに直交することになる。図３では、流れ出す気流の向きを破線の矢印で示してある。このように、遮蔽部材（14b）は、それぞれの孔（14a）からドレンパン（13）に漏れる気流が互いにぶつかり合わない方向に、該気流を導くように形成されているのである。
【００３１】
したがって、本実施形態では、仕切板（14）が複数の孔（14a）を有していても、孔（14a）から漏れ出す気流が互いに干渉して、ドレンパン（13）の底面方向に流れないようにできる。
【００３２】
〈本実施形態における効果〉
以上の通り、本実施形態によれば、仕切板（14）によって冷風が遮られるので、ドレン水の伝熱でドレンパン（13）外側の断熱材（13a）の表面に結露が防止ないし低減される。
【００３３】
また、本願発明者は、ドレン水用の孔（14a）から冷気がドレンパン（13）側に漏れ出した場合に、その冷気がドレンパン（13）に当たると、その部分から結露を生ずる場合があることを見いだした。そこで、本実施形態では、遮蔽部材（14b）によって、熱交換器（12）側からドレン水用の孔（14a）に流れ込んだ冷気が、ドレンパン（13）の底面に直接的に吹き付けられないようにした。その結果、本実施形態では、孔（14a）から漏れ出した冷気による結露をより確実に防止することが可能になる。
【００３４】
また、仕切板（14）によって熱交換器（12）をドレン水から分離することができ、ドレン水によって熱交換器（12）が汚れることがない。
【００３５】
また、断熱材（13a）を不要に厚くする必要がなく、加工性の向上やコストの低減が可能になる。なお、用途に応じて、断熱材（13a）は省略することも可能である。
【００３６】
《その他の実施形態》
なお、遮蔽部材（14b）の形状は例示であり、種々の形態を採用できる。例えば、図６は、切り起こしの形状（遮蔽部材）の他の例を示す。この例では、２辺の切り込みを入れつつ、切り起こし部分を円筒面状に形成してある。また、図７は、遮蔽部材（14b）のさらに別の構成例である。この例では、遮蔽部材（14b）は、いわゆるルーバ状に形成されている。
【００３７】
また、孔（14a）の配置も例示である。図８は、孔（14a）の他の配置例を示す。この例では、各遮蔽部材（14b）が導く気流の方向は同じであるが、孔（14a）の位置が千鳥状になっている。そのため、漏れ出す気流の向きが同じでも、孔（14a）同士の間隔を所定以上に容易に確保して、気流が互いに干渉しないようにできる。それゆえ、図８の例においても、孔（14a）から漏れ出た冷気がドレンパン（13）の底面に直接的に当らないようにでき、ドレンパン（13）の結露をより確実に防止できる。
【００３８】
また、孔（14a）は、必ずしも複数個設ける必要はない。孔（14a）が一つの場合であっても、前記の結露防止効果などを得ることができる。
【００３９】
また、遮蔽部材（14b）は、必ずしも仕切板（14）と一体形成する必要はない。たとえば、別部材で形成した遮蔽部材（14b）を溶接やねじ止めなどで固定するようにしてもよい。
【００４０】
なお、以上の実施形態は、本質的に好ましい例示であって、本発明、その適用物、あるいはその用途の範囲を制限することを意図するものではない。
【産業上の利用可能性】
【００４１】
本発明は、空気調和装置の室内ユニットの結露対策技術として有用である。
【符号の説明】
【００４２】
１        室内ユニット
１１      ファン
１２      熱交換器
１３      ドレンパン
１４      仕切板
１４ａ    孔
１４ｂ    遮蔽部材
【図１】
2014196867.tif 000003
【図２】
2014196867.tif 000004
【図３】
2014196867.tif 000005
【図４】
2014196867.tif 000006
【図５】
2014196867.tif 000007
【図６】
2014196867.tif 000008
【図７】
2014196867.tif 000009
【図８】
2014196867.tif 000010